(57)【特許請求の範囲】
【請求項１】
表面側がアルミニウム箔により被覆されている軟質床暖房マットをアルミニウム箔側が上面となるように建物の床基台上に敷設し、その軟質床暖房マットの上に床材を敷設した後、この床材が軟質床暖房マットの基材シートに設けられている釘打ち可能な部材を貫通して床基材上に釘打ちにより固定された軟質床暖房マットの床下敷込み部において、上記軟質床暖房マットの上下面の少なくとも一方には、ポリプロピレンを芯としポリエチレンをさやとする芯さや構造の繊維のさやのポリエチレンを溶融させることにより、その芯さや構造の繊維を相互に融着させて形成した不織布が敷設されていることを特徴とする軟質床暖房マットの床下敷込み部。
【請求項２】
不織布が軟質床暖房マットの下面にのみ敷設されている請求項１記載の軟質床暖房マットの床下敷込み部。
【請求項３】
不織布が軟質床暖房マットの上下面の双方に敷設されている請求項１記載の軟質床暖房マットの床下敷込み部。
【請求項４】
釘打ち可能な部材が床基台と当接する高さで設けられていると共に、軟質床暖房マットの下面に敷設された不織布が上記釘打ち可能な部材の下面には存在しない請求項２または３記載の軟質床暖房マットの床下敷込み部。
【請求項５】
不織布の目付量が５０〜３５０ｇ／ｍ２である請求項１、２、３または４記載の軟質床暖房マットの床下敷込み部。
【請求項６】
不織布の目付量が５０〜２００ｇ／ｍ２である請求項５記載の軟質床暖房マットの床下敷込み部。
【請求項７】
不織布の厚みは上面又は下面がいずれも１０ｍｍる請求項１、２、３、４、５、または６記載の軟質床暖房マットの床下敷込み部。
【発明の詳細な説明】
【０００１】
【産業上の利用分野】
本発明は、遮音性を発揮できるようにした軟質床暖房マットの床下敷込み部に関する。
【０００２】
【従来の技術】
床下の床基台上に敷設して用いられる軟質床暖房マットには、図３に示すように断熱層である熱可塑性樹脂発泡体製の基材シート１上に熱媒体を流通させる複数本（２〜５本）の導管２を平行させて蛇行状に敷設し、その表面側にアルミニウム箔３を被着する一方、上記導管２，２間の基材シート１に釘打ち可能な部材（木材や合成木材等）４を埋設した構造のものが知られている（実開平６−18809 号公報を参照）。そして、この軟質床暖房マットを床下に敷込むには、アルミニウム箔３が上面となるように床基台５上に敷き、その上に床材６を敷設し、この床材６を釘打ち可能な部材４を貫通して床基台５上に釘７打ちにより固定する方法が行なわれている。
【０００３】
【発明が解決しようとする課題】
釘打ち可能な部材が埋設されている軟質床暖房マットの上に床材を釘打ちにより固定したマンション等の床構造は、床に物を落とした時とか、椅子を動かした時等の音が階下に伝わり易く、このような軽量衝撃音に対する遮音性が劣るという問題があった。本発明はかかる問題を解決したものであって、その目的は遮音性を発揮できる軟質床暖房マットの床下敷込み部を提供することにある。
【０００４】
【課題を解決するための手段】
上記目的を達成するために、本発明の特徴とする軟質床暖房マットの床下敷込み部は、表面側がアルミニウム箔により被覆されている軟質床暖房マットをアルミニウム箔側が上面となるように建物の床基台上に敷設し、その軟質床暖房マットの上に床材を敷設した後、この床材が軟質床暖房マットの基材シートに設けられている釘打ち可能な部材を貫通して床基台上に釘打ちにより固定された軟質床暖房マットの床下敷込み部において、上記軟質床暖房マットの上下面の少なくとも一方には、ポリプロピレンを芯としポリエチレンをさやとする芯さや構造の繊維のさやのポリエチレンを溶融させることにより、その芯さや構造の繊維を相互に融着させて形成した不織布が敷設されて成るものである。
【０００５】
このような構成の本発明では、特に軟質床暖房マットの下面或いは上下面に不織布を敷設して実施するのがより改善された遮音性を得る点で好ましく、また、釘打ち可能な部材の下面を床基材上に当接させて、軟質床暖房マットの下面側に敷設された不織布は釘打ち可能な部材の下面に存在しないように実施するのが、マットに硬質感を保持させることができて歩行性の面で好ましい。
【０００６】
更に、不織布の目付量は５０〜３５０ｇ／ｍ２、好ましくは５０〜２００ｇ／ｍ２であって、遮音性付与の点から目付量の小さい粗密度のものであることが望ましく、厚みは上面又は下面側のいずれの不織布も１０ｍｍ以下であるのが好ましい。なお、不織布が、例えばポリエチレンテレフタレート繊維製等のものであると、繊維の剛性が低くて粗密度の不織布が得られず、遮音効果の点で問題がある。
【０００７】
【実施例】
以下に、本発明の実施例を添付図面を参照しながら説明する。先ず、図１に示す第１実施例において、１１は断熱層である熱可塑性樹脂発泡体製の基材シート、１２はこの基材シート１１に敷設された熱媒体流通用の導管であり、その複数本が従来のこの種マットと同様に平行して蛇行状に敷設されている。そして、上記導管１２，１２間の基材シート１１にはその全厚みに対して釘打ち可能な部材（木材や合成木材等）１３を埋設すると共に、該基材シート１１の表面側をアルミニウム箔１４により被覆して、軟質床暖房マットｍが構成されている。
【０００８】
この第１実施例では、軟質床暖房マットｍをアルミニウム箔１４側が上面となるように建物の床基台１７上に敷設し、その軟質床暖房マットｍの上に床材１８を敷設した後、この床材１８が釘打ち可能な部材１３を貫通して床基台１７上に釘１９打ちにより固定された軟質床暖房マットの床下敷込み部において、軟質床暖房マットｍの上面には後述する素材よりなる不織布１５が敷設され、また、その軟質床暖房マットｍの下面と建物の床基台１７との間にも上記不織布１５と同様な素材よりなる不織布１６が敷設されているものである。
【０００９】
次に、図２に示す第２実施例では、軟質床暖房マットｍの釘打ち可能な部材１３の下面１３ａが床基台１７の上に当接する高さで設けられており、軟質床暖房マットｍの下面と建物の床基台１７との間に敷接された不織布１６が釘打ち可能な部材１３の下面１３ａには存在しない状態で床下敷込み部ガ構成されている。なお、図２では、図１に示す実施例の部材と同一である部材については同一符号を用いてその説明を省略する。
【００１０】
上記構成において、釘打ち可能な部材１３は、図示された実施例のように軟質床暖房マットｍに予め埋設されていなくてもよく、その取扱い上の面からマット敷込み現場で軟質床暖房マットｍに装着一体化してもよい。そして、釘打ち可能な部材１３は、基材シート１１の全厚みに対しその裏面側の一部を残して、基材シート１１に埋設されていてもよい。また、釘打ち可能な部材１３を貫通して釘１９打ちを安全に行なうためには、釘打ち可能な部材１３の上面にアルミニウム箔を存在させないで実施する場合もある。
【００１１】
次いで、本発明の構成部材である不織布について説明する。不織布１５，１６の敷設には、基台１７上に不織布１６、軟質床暖房マットｍ、不織布１５及び床材１８を順次敷設する現場施工法の外、少なくとも下面に不織布１６を、或いは更に上面にも不織布１５が予め粘着剤等により一体化して設けられている軟質床暖房マットｍを床基台１７上に敷設し、その上に床材１８を敷設する方法も採用できる。実施例２の場合には少なくとも下面に不織布１６が予め一体化されて設けられている軟質床暖房マットｍを用いるのが作業のし易い点で好ましい。
【００１２】
そして、不織布１５，１６の素材は、ポリプロピレン（プロピレンを主成分とする共重合体を含む）を芯としてポリエチレン（エチレンを主成分とする共重合体を含む）をさやとする芯さや構造の繊維のさやのポリエチレンを溶融させることにより、その芯さや構造の繊維を相互に融着させて得たものである。
【００１３】
また、不織布は目付量が通常の400〜600g／m2程度となると、遮音性の十分な改良効果を得ることができなくなるので、本不織布１５，１６の目付量は前述したように50〜350g／m2、好ましくは50〜200g／m2である。そして、不織布１５，１６の厚みは10mm以下であることが好ましく、厚みが10mmを越えると、歩行時に床材が撓む等、歩行性の面で問題が生じ易くなる。また、マット上面に敷設される不織布１５の厚みは5mm以下であることが歩行性の面で好ましい。
【００１４】
本発明に係る床下敷込み部（ポリプロピレンを芯とし、低密度ポリエチレンをさやとする芯さや構造の繊維製である不織布１５，１６を用いて実施した。）、図３に示す従来の床下敷込み部及び、不織布１５，１６の比較例としてポリエチレンテレフタレート繊維製の不織布が用いられている床下敷込み部の軽量衝撃音に対する遮音性と歩行感を実験して評価した結果は後記の表に示す通りである。
【００１５】
この実験に用いられた軟質床暖房マットは、基材シートが発泡倍率60倍のポリスチレン発泡体を厚さ方向に１／２の厚さに圧縮し、その後圧力を開放して回復させた厚み10mmと12mmで発泡倍率50倍のもの、導管が内径５mm、外径7.2mm の低密度ポリエチレン架橋体製のもの、釘打ち可能な部材が木材で高さ12mm、幅35mmのもの、被覆材であるアルミニウム箔が厚み50μのものである。また、床材は厚みが12mmの木質系フローリング材である。
【００１６】
なお、評価法としては、軽量衝撃音に対する遮音性はJIS A1418に基づいて床衝撃音レベル（dB）を測定し、歩行感は次の基準で評価した。◎は硬質感あり、○は硬質感はないが、床構造として全く問題なし、△は若干の撓み感あり。また、表中では、本発明の実施例１，２に用いられた芯さや構造の繊維製不織布をPPにより、比較例で用いられたポリエチレンテレフタレート繊維製の不織布をPET によりそれぞれ表示し、目付量の単位はg／m2、厚みの単位はmmである。
【００１７】
【表１】
0003680287.tif 000002
【００１８】
【発明の効果】
本発明は上記の如くであって、前掲の評価表から確認できるように歩行感を維持できることは勿論、軟質床暖房マットが敷込まれている床下構造部の遮音性を改良（一般に、当業界において満足するとされる遮音性は45dB以下）できるものである。
【図面の簡単な説明】
【図１】本発明の実施例を示す部分正断面図である。
【図２】本発明の他の実施例を示す部分正断面図である。
【図３】従来知られている軟質床暖房の床下敷込み部を示す部分正断面図である。
【符号の説明】
１１は基材シート、１２は導管、１３は釘打ち可能な部材、１４はアルミニウム箔、１５、１６は不織布、１７は床基台、１８は床材、１９は釘、ｍは軟質床暖房マットである。
【図１】
0003680287.tif 000003
【図２】
0003680287.tif 000004
【図３】
0003680287.tif 000005